(57)【要約】      （修正有）【課題】連結具をストラップと吊下げ物ホルダーの間に置く。【解決手段】雌雄部材５，６からなるネックストラップ２用の連結具である。雌部材５は、雄部材６収容用のスロット５１と、雄部材５の抜け止めとなる孔５２と、吊下げ物のホルダー９との接続用開口５３を有する。雄部材は、本体部と蓋部が合成樹脂により一体成型されていて、蓋部は本体部に対してストラップを挟み込んだ状態で、折り畳み可能である。本体部は、係合部７２を備えた先端部と、ストラップ収容部を有する。係合部は、本体部の厚み方向にバネ作用を有する。【選択図】図３
2010000157.tif 000002
【特許請求の範囲】
【請求項１】
雌雄部材（５，６）からなるネックストラップ（２）用の連結具（４）であって、
前記雌部材（５）は、雄部材（６）収容用のスロット（５１）と、雄部材（５）の抜け止めとなる孔（５２）と、吊下げ物のホルダー（９）との接続用開口（５３）を有し、
前記雄部材（６）は、本体部（７）と蓋部(８）が合成樹脂により一体成型されていて、蓋部（８）は本体部（７）に対してストラップを挟み込んだ状態で、折り畳み可能であり、
前記本体部（７）は、係合部（７２）を備えた先端部（７１）と、ストラップ収容部（７３）を有し、
前記係合部（７２）は、本体部の厚み方向にバネ作用を有することを特徴とするネックストラップ用の連結具。
【請求項２】
１つの雌部材（５）と、２つの雄部材（６）からなるネックストラップ（２）用の連結具（４）であって、
前記雌部材（５）は、２つの雄部材（６）収容用のスロット（５１）と、雄部材（５）の抜け止めとなる孔（５２）と、吊下げ物のホルダー（９）との接続用開口（５３）を有し、
前記各雄部材（６）は、本体部（７）と蓋部(８）が合成樹脂により一体成型されていて、蓋部（８）は本体部（７）に対してストラップを挟み込んだ状態で、折り畳み可能であり、
前記本体部（７）は、係合部（７２）を備えた先端部（７１）と、ストラップ収容部（７３）を有し、
前記係合部（７２）は、本体部の厚み方向にバネ作用を有することを特徴とするネックストラップ用の連結具。
【請求項３】
前記係合部（７２）が、前記本体部（７）の先端部（７１）に位置している請求項１又は２記載の連結具。
【請求項４】
前記係合部（７２）が、前記本体部（７）の前記先端部（７１）を切り込んで形成されたものであり、前記ホルダー（９）側から前記本体部（７）側に向かって厚み方向に伸縮可能である請求項３記載の連結具。
【請求項５】
前記本体部（７）と前記蓋部(８）の対向面はそれぞれストラップ（２）に食い込み可能な爪（７４，８１）を有する請求項１ないし４のいずれかに記載の連結具。
【請求項６】
請求項１ないし５の何れかに記載の連結具（４）を有するネックストラップ。
【発明の詳細な説明】
【技術分野】
【０００１】
本発明はネックストラップの連結具、特に、一定以上の荷重がかかったとき、自動的に係合が外れるようなネックストラップの連結具に関する。
【背景技術】
【０００２】
ネックストラップは身分証明書などを提示するために首に掛ける吊り紐である。ネックストラップを使用することにより、例えばエレベータのドアにストラップの一部が挟まれたときには首吊り状態となる危険があるといわれている。この問題を避けるために、一定以上の荷重がかかったとき、自動的にネックストラップの係合が外れるようにした連結具が開発されている。
【０００３】
従来の連結具は、着用者の後頭部側の首に位置していることが多い（例えば下記特許文献１参照）。前記のような荷重がかかったときには首に食い込む力となって現れ、一時的にせよ痛みを伴う。
【０００４】
さらに意識的にネックストラップの連結を外すとき、連結具が体の首や側部に位置していると着用したままでは、外しにくい。
【特許文献１】実用新案登録第３０８６７２０号
【発明の開示】
【発明が解決しようとする課題】
【０００５】
本発明は、連結具を着用者の前方に設けることにより、上記の欠点を取り除いた新規なネックストラップの連結具を提供することを目的とする。
【課題を解決するための手段】
【０００６】
本発明請求項１記載のネックストラップ用の連結具は、雌雄雌部材からなるネックストラップ用の連結具であって、前記雌部材は、雄部材収容用のスロットと、雄部材の抜け止めとなる孔と、吊下げ物のホルダーとの接続用開口を有し、前記各雄部材は、本体部と蓋部が合成樹脂により一体成型されていて、蓋部は本体部に対してストラップを挟み込んだ状態で、折り畳み可能であり、前記本体部は、係合部を備えた先端部と、ストラップ収容部を有し、前記係合部は、本体部の厚み方向にバネ作用を有することを特徴とする。
【０００７】
本発明請求項２記載のネックストラップ用の連結具は、１つの雌部材と、２つの雄部材からなるネックストラップ用の連結具であって、  前記雌部材は、２つの雄部材収容用のスロットと、雄部材の抜け止めとなる孔と、吊下げ物のホルダーとの接続用開口を有し、前記各雄部材は、本体部と蓋部が合成樹脂により一体成型されていて、蓋部は本体部に対してストラップを挟み込んだ状態で、折り畳み可能であり、前記本体部は、係合部を備えた先端部と、ストラップ収容部を有し、前記係合部は、本体部の厚み方向にバネ作用を有することを特徴とする。
【０００８】
請求項１と２の相違点は、請求項２の雌雄部材では、雌部材が１つ、雄部材が２つと特定されているが、請求項１ではそのような限定がない点である。
【発明の効果】
【０００９】
請求項１の発明によれば、吊り下げ対象物ホルダーと直接連結可能なネックストラップが得られる。連結部が着用者の目の前にあるので、意識的に外すときに便利である。また、非常時に連結具が首に食い込んで痛みを与えることがない。
【００１０】
請求項２の発明によれば、上記効果に加え、ホルダーとストラップを完全に分離させることができる。したがって、ストラップのみの交換も可能となる。
【発明を実施するための最良の形態】
【００１１】
好ましくは、前記係合部が、前記本体部の先端部に位置していることである。これにより本体部と係合部を一体成形することが可能となる。
【００１２】
前記係合部は、例えば前記本体部の前記先端部を切り込んで形成されたものであり、前記ホルダー側から前記本体部側に向かって幅方向に伸縮可能である。このようにすることにより、バネ作用を有する係合部を簡単に形成することができる。
【００１３】
前記本体部と前記蓋部の対向面にはそれぞれストラップに食い込み可能な爪を設けることが好ましい。このようにすることにより、ストラップが確実に雄部材に取り付けられる。
【実施例１】
【００１４】
以下、添付の図面に基づき、本発明の実施例を説明する。
【００１５】
図１は、本発明の１実施例に係るネックストラップの斜視図である。
【００１６】
このネックストラップ１は、ネックストラップ本体２と、ストラップの長さ調節具３と、非常時にストラップを分離可能とする連結具４と、吊下げ対象物９１を保持するホルダー９とからなる。この例では、吊下げ対象物９１は名札であり、ホルダー９は洗濯挟みのような形状のクリップである。
【００１７】
図２は、連結具４の拡大斜視図であり、図３は断面図である。この連結具４は、ソケット状の雌部材５と、この雌部材５に挿入・離脱可能な２本の雄部材６からなる。各雄部材６はストラップの両端末２１（図３）の１つを保持している。
【００１８】
ソケット状の雌部材５を、図４及び図５に示す。図４（ａ）は正面図、（ｂ）は平面図、（ｃ）は背面図であり、図５（ａ）は縦断面図、（ｂ）は横断面図である。
【００１９】
この雌部材５は、図４（ａ）及び図５（ａ）に示すように、前半部に雄部材収容用のスロット５１が２本平行に設けられている。また、この前半部には、図４（ｂ）及び図５（ａ）に示すように、平面及び底面に四角形の孔５２が開けられている。雌部材５の後半部は、尻すぼみとなっており、ホルダー９との接続用に開口５３が設けられており、最後端に係合用棒５４がある。
【００２０】
２個の雄部材６は、同一形状であり、図３に示すように、向きを逆にして雌部材５に収容される。
【００２１】
組立前の雄部材６を図６及び図７に示す。図６（ａ）は平面図、（ｂ）は正面図、（ｃ）は左側面図、（ｄ）は右側面図、（ｅ）は底面図、（ｆ）は背面図であり、図７（ａ）は図６（ｂ）の横断面図、（ｂ）は図６（ｂ）の縦断面図、（ｃ）は組立状態の横断面図、（ｄ）は組立て方法を示す横断面図である。
【００２２】
これらの図に示すように、各雄部材６は、本体部７と蓋部８が射出成形等により一体成型されている。本体部７と蓋部８の間は屈曲部であり、屈曲部を中心として、蓋部８は本体部７に対して折り畳まれる。
【００２３】
本体部７は、係合部７２を備えた先端部７１とストラップ収容部７３とからなる（図３（ａ）及び図６（ｂ）参照）。ストラップ収容部７３からは４個所で爪７４が突出している。
【００２４】
係合部７２は、図６（ｂ）に示すように、先端部の中央が切り込み７５により切り込まれて形成されたものである。係合部７２は、図３（ａ）（ｂ）及び図７（ｂ）に示すように、ホルダー９側から本体側に向かって幅方向に伸長する遊端となっている。この遊端は幅方向に伸縮可能であるので、バネ作用を有する。遊端の端部には段部７６が形成されている。
【００２５】
図７（ｄ）に示すように、ストラップ収容部７３の上にストラップ２の一端部２１を載せて、蓋部８が折り畳まれる。蓋部８にも５個所で爪８１が設けられているので、上下の爪７４，８１の食い込みによってストラップ２は移動不可能な状態に保持固定される。
【００２６】
蓋部８には別に係止爪８２があり、本体部７に対して折り畳まれたとき、図７（ｃ）に示すように、本体部の係止溝７７と係合する。
【００２７】
雄部材６にストラップ２が固定された状態は図２に最もよく示されている。２本の雄部材６を雌部材の２本のスロット５１に挿入するには、各雄部材６の先端部を雌部材のスロット５１に押し込めばよい。その際、係合部７２が幅方向内側に押されながらスロット５１の中を進行し、図３（ｂ）の状態で結合が完了する。このとき、雌部材５のスロット壁に雄部材の段部７６が着座して抜け止めとなる。
【００２８】
しかし、雌雄部材の係合の程度は緩やかなもので、外部から強い力が加われば、簡単に係合が外れる。
【実施例２】
【００２９】
図示しないが、２本の雄部材６のうち、１本を雌部材５と一体成形することができる。ストラップを分離するという目的を達成するには、分離箇所は本来１個所でも十分であるからである。一体成形される側の雌雄部材は、スロット５１と係合部７２が一体のブロックとなり、四角形の孔５２も不要となる。
【図面の簡単な説明】
【００３０】
【図１】本発明の１実施例に係るネックストラップの斜視図である。
【図２】この実施例の連結具の拡大斜視図である。
【図３】この実施例の連結具の断面図である。
【図４】（ａ）は正面図、（ｂ）は平面図、（ｃ）は背面図である。
【図５】（ａ）は縦断面図、（ｂ）は横断面図である。
【図６】（ａ）は平面図、（ｂ）は正面図、（ｃ）は左側面図、（ｄ）は右側面図、（ｅ）は底面図、（ｆ）は背面図である。
【図７】（ａ）は図６（ｂ）の横断面図、（ｂ）は図６（ｂ）の縦断面図、（ｃ）は組立状態の横断面図、（ｄ）は組立て方法を示す横断面図である。
【符号の説明】
【００３１】
１     ネックストラップ
２     ネックストラップ本体
２１   ストラップの端部
３     長さ調節具
４     連結具
５     雌部材
５１   スロット
５２   孔
５３   開口
５４   係合用棒
６     雄部材
７     本体部
７１   先端部
７２   係合部
７３   ストラップ収容部
７４   爪
７６   段部
７７   係止溝
８     蓋部
８１   爪
８２   係止爪
９     ホルダー
９１   対象物
【図１】
2010000157.tif 000003
【図２】
2010000157.tif 000004
【図３】
2010000157.tif 000005
【図４】
2010000157.tif 000006
【図５】
2010000157.tif 000007
【図６】
2010000157.tif 000008
【図７】
2010000157.tif 000009